【手続補正書】
【提出日】平成30年12月10日(2018.12.10)
【手続補正１】
【補正対象書類名】特許請求の範囲
【補正対象項目名】全文
【補正方法】変更
【補正の内容】
【特許請求の範囲】
【請求項１】
人体の動きの計測を行う計測装置と接続する情報処理装置であって、
前記計測による結果を示す第１計測データを前記計測装置から取得する第１取得部と、
前記第１計測データに基づく波形に含まれるピークの間隔を検出し、基準となる基準ピーク間隔を推定する推定部と、
前記計測による結果を示す第２計測データを前記計測装置から取得する第２取得部と、
前記第２計測データが示す波形に含まれる複数のピークのうち、ビタビアルゴリズムに基づいて、前記基準ピーク間隔と、前記複数のピークによるピーク間隔の差の和が最小となるピークの組み合わせを特定する特定部と
を含む情報処理装置。
【請求項２】
人体の動きの計測を行う計測装置と接続する情報処理装置であって、
前記計測による結果を示す第１計測データを前記計測装置から取得する第１取得部と、
前記第１計測データに基づく波形に含まれるピークの間隔の種類ごとに、それぞれの確率密度関数を示すデータを記憶する記憶部と、
前記計測による結果を示す第２計測データを前記計測装置から取得する第２取得部と、
前記第２計測データに基づく波形に含まれるピークの間隔を検出し、基準となる基準ピーク間隔を計測する計測部と、
前記第２計測データが示す波形に含まれる複数のピークのうち、前記基準ピーク間隔によって定まる前記確率密度関数に基づく探索範囲にピークが存在するそれぞれの確率の和が最大となるピークの組み合わせを特定する特定部と
を含む情報処理装置。
【請求項３】
前記確率密度関数は、正規分布である請求項２に記載の情報処理装置。
【請求項４】
前記人体の動きは、心拍数である請求項１乃至３のいずれか一項に記載の情報処理装置。
【請求項５】
前記人体の動きは、被験者の体の動きである請求項１乃至３のいずれか一項に記載の情報処理装置。
【請求項６】
前記第１計測データ又は前記第２計測データが示す波形に対してフィルタリングを行い、０Ｈｚより大きく、かつ、１０Ｈｚ以下の周波数の波形を取り出す請求項１乃至５のいずれか一項に記載の情報処理装置。
【請求項７】
前記第２計測データが示す波形に対して多項式近似を行う請求項１乃至６のいずれか一項に記載の情報処理装置。
【請求項８】
前記第２計測データが示す波形に対して、事前学習の処理で決定したスケールファクタに基づくウェーブレット変換を行う請求項１乃至６のいずれか一項に記載の情報処理装置。
【請求項９】
人体の動きの計測を行う計測装置と接続する１以上の情報処理装置を有する情報処理システムであって、
前記計測による結果を示す第１計測データを前記計測装置から取得する第１取得部と、
前記第１計測データに基づく波形に含まれるピークの間隔を検出し、基準となる基準ピーク間隔を推定する推定部と、
前記計測による結果を示す第２計測データを前記計測装置から取得する第２取得部と、
前記第２計測データが示す波形に含まれる複数のピークのうち、ビタビアルゴリズムに基づいて、前記基準ピーク間隔と、前記複数のピークによるピーク間隔の差の和が最小となるピークの組み合わせを特定する特定部と
を含む情報処理システム。
【請求項１０】
人体の動きの計測を行う計測装置と接続する情報処理装置が行う情報処理方法であって、
前記情報処理装置が、前記計測による結果を示す第１計測データを前記計測装置から取得する第１取得手順と、
前記情報処理装置が、前記第１計測データに基づく波形に含まれるピークの間隔を検出し、基準となる基準ピーク間隔を推定する推定手順と、
前記情報処理装置が、前記計測による結果を示す第２計測データを前記計測装置から取得する第２取得手順と、
前記情報処理装置が、前記第２計測データが示す波形に含まれる複数のピークのうち、ビタビアルゴリズムに基づいて、前記基準ピーク間隔と、前記複数のピークによるピーク間隔の差の和が最小となるピークの組み合わせを特定する特定手順と
を含む情報処理方法。
【請求項１１】
人体の動きの計測を行う計測装置と接続するコンピュータに情報処理方法を実行させるためのプログラムであって、
前記コンピュータが、前記計測による結果を示す第１計測データを前記計測装置から取得する第１取得手順と、
前記コンピュータが、前記第１計測データに基づく波形に含まれるピークの間隔を検出し、基準となる基準ピーク間隔を推定する推定手順と、
前記コンピュータが、前記計測による結果を示す第２計測データを前記計測装置から取得する第２取得手順と、
前記コンピュータが、前記第２計測データが示す波形に含まれる複数のピークのうち、ビタビアルゴリズムに基づいて、前記基準ピーク間隔と、前記複数のピークによるピーク間隔の差の和が最小となるピークの組み合わせを特定する特定手順と
を実行させるためのプログラム。
【請求項１２】
人体の動きの計測を行う計測装置と接続する１以上の情報処理装置を有する情報処理システムであって、
前記計測による結果を示す第１計測データを前記計測装置から取得する第１取得部と、
前記第１計測データに基づく波形に含まれるピークの間隔の種類ごとに、それぞれの確率密度関数を示すデータを記憶する記憶部と、
前記計測による結果を示す第２計測データを前記計測装置から取得する第２取得部と、
前記第２計測データに基づく波形に含まれるピークの間隔を検出し、基準となる基準ピーク間隔を計測する計測部と、
前記第２計測データが示す波形に含まれる複数のピークのうち、前記基準ピーク間隔によって定まる前記確率密度関数に基づく探索範囲にピークが存在するそれぞれの確率の和が最大となるピークの組み合わせを特定する特定部と
を含む情報処理システム。
【請求項１３】
人体の動きの計測を行う計測装置と接続する情報処理装置が行う情報処理方法であって、
前記情報処理装置が、前記計測による結果を示す第１計測データを前記計測装置から取得する第１取得手順と、
前記情報処理装置が、前記第１計測データに基づく波形に含まれるピークの間隔の種類ごとに、それぞれの確率密度関数を示すデータを記憶する記憶手順と、
前記情報処理装置が、前記計測による結果を示す第２計測データを前記計測装置から取得する第２取得手順と、
前記情報処理装置が、前記第２計測データに基づく波形に含まれるピークの間隔を検出し、基準となる基準ピーク間隔を計測する計測手順と、
前記情報処理装置が、前記第２計測データが示す波形に含まれる複数のピークのうち、前記基準ピーク間隔によって定まる前記確率密度関数に基づく探索範囲にピークが存在するそれぞれの確率の和が最大となるピークの組み合わせを特定する特定手順と
を含む情報処理方法。
【請求項１４】
人体の動きの計測を行う計測装置と接続するコンピュータに情報処理方法を実行させるためのプログラムであって、
前記コンピュータが、前記計測による結果を示す第１計測データを前記計測装置から取得する第１取得手順と、
前記コンピュータが、前記第１計測データに基づく波形に含まれるピークの間隔の種類ごとに、それぞれの確率密度関数を示すデータを記憶する記憶手順と、
前記コンピュータが、前記計測による結果を示す第２計測データを前記計測装置から取得する第２取得手順と、
前記コンピュータが、前記第２計測データに基づく波形に含まれるピークの間隔を検出し、基準となる基準ピーク間隔を計測する計測手順と、
前記コンピュータが、前記第２計測データが示す波形に含まれる複数のピークのうち、前記基準ピーク間隔によって定まる前記確率密度関数に基づく探索範囲にピークが存在するそれぞれの確率の和が最大となるピークの組み合わせを特定する特定手順と
を実行させるためのプログラム。
【請求項１５】
人体の動きの計測を行う計測装置であって、
前記計測による計測データを取得する取得部と、
前記計測データが示す波形に含まれる複数のピークのうち、基準となる基準ピーク間隔と前記複数のピークによるピーク間隔の差の和が最小となるピークの組み合わせを、ビタビアルゴリズムに基づいて特定する特定部と
を含む計測装置。
【請求項１６】
人体の動きの計測を行う計測装置が行う情報処理方法であって、
前記計測装置が、前記計測による計測データを取得する取得手順と、
前記計測装置が、前記計測データが示す波形に含まれる複数のピークのうち、基準となる基準ピーク間隔と前記複数のピークによるピーク間隔の差の和が最小となるピークの組み合わせを、ビタビアルゴリズムに基づいて特定する特定手順と
を含む情報処理方法。
【請求項１７】
人体の動きの計測を行うコンピュータに情報処理方法を実行させるためのプログラムであって、
前記コンピュータが、前記計測による計測データを取得する取得手順と、
前記コンピュータが、前記計測データが示す波形に含まれる複数のピークのうち、基準となる基準ピーク間隔と前記複数のピークによるピーク間隔の差の和が最小となるピークの組み合わせを、ビタビアルゴリズムに基づいて特定する特定手順と
を実行させるためのプログラム。
【請求項１８】
人体の動きの計測を行う１以上の計測装置を有する計測システムであって、
前記計測による計測データを取得する取得部と、
前記計測データが示す波形に含まれる複数のピークのうち、基準となる基準ピーク間隔と前記複数のピークによるピーク間隔の差の和が最小となるピークの組み合わせを、ビタビアルゴリズムに基づいて特定する特定部と
を含む計測システム。
【手続補正２】
【補正対象書類名】明細書
【補正対象項目名】発明の名称
【補正方法】変更
【補正の内容】
【発明の名称】情報処理装置、情報処理システム、計測装置、計測システム、情報処理方法及びプログラム
【手続補正３】
【補正対象書類名】明細書
【補正対象項目名】０００１
【補正方法】変更
【補正の内容】
【０００１】
本発明は、情報処理装置、情報処理システム、計測装置、計測システム、情報処理方法及びプログラムに関する。